(57)【特許請求の範囲】
【請求項１】
上面開口の本体周壁(６)を有し、この本体周壁(６)の一部に水平な第１方向(Ｘ)へ開口する挿通口(Ｐ)を形成したコンパクト本体(２)と、
本体周壁(６)の上面を開閉可能にコンパクト本体(２)へ枢着させ、蓋板(２２)の裏面から挿通口(Ｐ)の第１方向(Ｘ)内方に位置させて連係片(２８)を垂設した蓋体(２０)と、
上記挿通口(Ｐ)と連係片(２８)との間に第１方向(Ｘ)への移動可能に挿入された基体(５２)を有し、この基体(５２)に上記挿通口(Ｐ)を介して外方への引っ張り操作を可能とする引っ張り手段(Ｅ)を設けるとともに、第１方向内方へ付勢された操作部材(５０)と、を具備し、
この操作部材(５０)の上方への抜け出しを防止する抜け止め手段(Ｒ)を設け、
上記連係片(２８)と操作部材(５０)の対応箇所とを相互に係合させて蓋体(２０)の閉蓋状態を維持するロック手段(Ｌ)を設け、上記引っ張り棒(６２)を外方へ引っ張ることで上記ロックを解除できるように形成したことを特徴とする、コンパクト容器。
【請求項２】
上記引っ張り手段(Ｅ)として、基体(５２)から上記挿通口(Ｐ)を介して引っ張り棒(６２)を外方突出するとともに、この引っ張り棒の先端部に装飾品を取り付け可能な取付部(６４)を形成したことを特徴とする、請求項１に記載のコンパクト容器。
【請求項３】
上記第１方向(Ｘ)と直交する第２方向(Ｙ)に並列させて、上記基体(５２)の両側面と接する一対の案内板(１４)をコンパクト本体(２)の底壁(４)から起立させたことを特徴とする、請求項１又は請求項２に記載のコンパクト容器。
【請求項４】
上記案内板(１４)よりも内方の基体部分から第２方向(Ｙ)外方へかつ引っ張り棒寄りに一対の弾性バネ(６６)を一体的に延設し、案内板(１４)と弾性バネ(６６)の基端部(６６ａ)との間に移動代(ｄ)をとるとともに、それら弾性バネ(６６)の先端部をコンパクト本体(２)へ係止させることで操作部材(５０)を内方へ付勢したことを特徴とする請求項３に記載のコンパクト容器。
【請求項５】
本体周壁(６)の上面に上述の抜け止め手段(Ｒ)として取り付けた中枠(４０)の下面とコンパクト本体(２)の底壁(４)に上記操作部材(５０)の基体(５２)を摺動可能に当接させたことを特徴とする、請求項１から請求項４のいずれかに記載のコンパクト容器。
【発明の詳細な説明】
【技術分野】
【０００１】
本発明は、コンパクト容器に関する。
【背景技術】
【０００２】
従来のコンパクト容器は、コンパクト本体に蓋体を枢着してなり、蓋体の裏面から垂下した連係片とコンパクト本体側のフックとを噛み合わせることで蓋体をロックするとともに、フックと連係させて外表面の適所に配置した押釦を押すと、ロックが解除されるように構成されている（特許文献１）。同文献の段落には、コンパクト容器の装飾性を高めるために、異なる部材を異なる色彩で着色することが開示されている。
【先行技術文献】
【特許文献】
【０００３】
【特許文献１】特開平９−１００３１
【発明の概要】
【発明が解決しようとする課題】
【０００４】
特許文献１のコンパクト容器は、バッグや鞄の中に、他の様々な物品とともに収納したときに、これら他物が押釦に当たり、蓋体が開いてしまう可能性があった。
また特許文献１では加飾目的で容器の形態（色彩）に工夫を施しているが、従来より、利用者の鞄や財布などの持ち物においては、ストラップを介して小物などの装飾物を吊り下げることが行われており、こうした装飾方法をコンパクト容器に取り入れることができると、コンパクト容器の差別化に寄与すると期待される。
【０００５】
本発明の第１の目的は、他物との当接により蓋体が開かないように操作部の引っ張りにより蓋体のロックが解除されるコンパクト容器を提供することである。
本発明の第２の目的は、装飾物を、引っ張ることで操作するタイプの操作部に取り付けることが可能としたコンパクト容器を提供することである。
【課題を解決するための手段】
【０００６】
第１の手段は、
上面開口の本体周壁６を有し、この本体周壁６の一部に水平な第１方向Ｘへ開口する挿通口Ｐを形成したコンパクト本体２と、
本体周壁６の上面を開閉可能にコンパクト本体２へ枢着させ、蓋板２２の裏面から挿通口Ｐの第１方向Ｘ内方に位置させて連係片２８を垂設した蓋体２０と、
上記挿通口Ｐと連係片２８との間に第１方向Ｘへの移動可能に挿入された基体５２を有し、この基体５２に上記挿通口Ｐを介して外方への引っ張り操作を可能とする引っ張り手段Ｅを設けるとともに、第１方向内方へ付勢された操作部材５０と、を具備し、
この操作部材５０の上方への抜け出しを防止する抜け止め手段Ｒを設け、
上記連係片２８と操作部材５０の対応箇所とを相互に係合させて蓋体２０の閉蓋状態を維持するロック手段Ｌを設け、上記引っ張り手段Ｅを外方へ引っ張ることで上記ロックを解除できるように形成している。
【０００７】
本手段では、図１に示すように、引っ張り操作により蓋体のロックを解除できる操作部材５０を提案している。この操作部材５０は、コンパクト本体２の挿通口Ｐと蓋体２０の連係片２８との間で、同図に示す第１方向Ｘへ移動可能に挿入した基体５２と、挿通口Ｐを介して外方へ引っ張り操作が可能とする引っ張り手段Ｅとを有する。引っ張り手段Ｅを用いて外方へ引っ張り操作することで、連係片２８及び操作部材５０の係合箇所（図示例では係合部３０及び係合受部６０）の係合が解除される。
【０００８】
「引っ張り手段」は、基体から挿通孔を介して外方突出した引っ張り棒を掴んで引っ張るようにしても、後述の如く引っ張り棒に取り付けた装飾具を介して引っ張るようにしてもよい。また、基体自体に引っ張り用の紐を取り付けるための取付部を設けてもよい。
「挿通口」は、引っ張り操作をするための作業口であり、例えば引っ張り手段である引っ張り棒、或いは取付部に連結した紐などを挿通できるものであればよい。
「係合部」及び「係合受部」は、蓋体２０の閉蓋状態を維持できるように相互に連結できる構造であればよい。図示例では、両者を係合凸部に形成しているが、例えば一方を係合凸部、他方を係合凹部にしてもよい。
【０００９】
第２の手段は、第１の手段を有し、かつ
上記引っ張り手段Ｅとして、基体５２から上記挿通口Ｐを介して引っ張り棒６２を外方突出するとともに、この引っ張り棒の先端部に装飾品を取り付け可能な取付部６４を形成している。
【００１０】
本手段では、引っ張り手段Ｅとして挿通口Ｐを挿通する引っ張り棒６２を設け、この引っ張り棒の先端部に、装飾品Ｄ用のストラップＳを取り付け可能な取付部６４を設けている。単にコンパクト容器にストラップを介して装飾品を取り付けるだけでなく、ストラップを介して引っ張り操作を行うことができるので、使い勝手がよい。取付部６４は、図７に示すような取付孔６４ａとしてもよく、また図８に示すような切溝６４ｂとしてもよい。
【００１１】
第３の手段は、第１の手段又は第２の手段を有し、かつ
上記第１方向Ｘと直交する第２方向Ｙに並列させて、上記基体５２の両側面と接する一対の案内板１４をコンパクト本体２の底壁４から起立させている。
【００１２】
本手段では、図３に示すように、第１方向Ｘと直交する第２方向Ｙに並列させて上記基体５２の両側面と接する一対の案内板１４を、コンパクト本体２の底壁４から起立させることを提案している。これにより基体５２が横方向（第２方向）にブレることを防止できる。
【００１３】
第４の手段は、第３の手段を有し、かつ
上記案内板１４よりも内方の基体部分から第２方向Ｙ外方へかつ引っ張り棒寄りに一対の弾性バネ６６を一体的に延設し、案内板１４と弾性バネ６６の基端部６６ａとの間に移動代ｄをとるとともに、それら弾性バネ６６の先端部をコンパクト本体２へ係止させることで操作部材５０を内方へ付勢している。
【００１４】
本手段では、図３に示すように上記案内板１４よりも内方の基体部分から第２方向Ｙ外方へかつ引っ張り棒寄りに一対の弾性バネ６６を一体的に延設し、案内板１４と弾性バネ６６の基端部６６ａとの間に移動代ｄをとるとともに、それら弾性バネ６６の先端部をコンパクト本体２へ係止させることで操作部材５０を内方へ付勢している。
【００１５】
第５の手段は、第１の手段から第４の手段のいずれかを有し、かつ
本体周壁６の上面に上述の抜け止め手段Ｒとして取り付けた中枠４０の下面とコンパクト本体２の底壁４に上記操作部材５０の基体５２を摺動可能に当接させている。
【００１６】
本手段では、図１に示すように、本体周壁６の上面に上述の抜け止め手段Ｒとして中枠４０を取り付け、この中枠４０の下面とコンパクト本体２の底壁４に上記操作部材５０の基体５２を摺動可能に当接させることを提案している。これにより、基体５２が上下方向にブレることを規制することができる。
【発明の効果】
【００１７】
第１の手段に係る発明によれば、連係片２８の係合部３０と操作部材５０の係合受部６０とを相互に係合させて、蓋体２０の閉蓋状態を維持するとともに、上記引っ張り手段Ｅを外方へ引っ張ることでロックを解除できるように形成したから、従来容器のように、バッグや鞄の中に入れたときに、蓋体を係止するフックと連係させた押釦が他物に当たって蓋体が開く不都合を回避できる。
第２の手段に係る発明によれば、上記引っ張り手段Ｅとして、基体５２から上記挿通口Ｐを介して引っ張り棒６２を外方突出するとともに、この引っ張り棒の先端部に装飾品を取り付け可能な取付部６４を形成したから、この装飾品を引っ張ることで蓋体２０のロック状態を解除することができ、使い勝手がよい。また利用者の気分に応じてストラップ付きの装飾品を交換できるので、美観が向上する。
第３の手段に係る発明によれば、上記第１方向Ｘと直交する第２方向Ｙに並列させて、上記基体５２の両側面と接する一対の案内板１４をコンパクト本体２の底壁４から起立させたから、引っ張り手段の操作の際に基体５２が横方向（第２方向）にガタツクことを防止できる。
第４の手段に係る発明によれば、上記案内板１４よりも内方の基体部分から一対の弾性バネ６６を一体的に延設したから、部材数を増やすことなく、操作部材５０を内方へ付勢させることができる。
第５の手段に係る発明によれば、本体周壁６の上面に上述の抜け止め手段Ｒとして取り付けた中枠４０の下面とコンパクト本体２の底壁４に上記操作部材５０の基体５２を摺動可能に当接させたから、引っ張り手段の操作の際に基体５２が上下方向にガタツクことを防止できる。
【図面の簡単な説明】
【００１８】
【図１】本発明の第１実施形態に係るコンパクト容器の縦断面図である。
【図２】図１のコンパクト容器の要部を拡大した縦断面図である。
【図３】図１のコンパクト容器の要部の横断面図である。
【図４】図１のコンパクト容器の中枠の要部の斜視図である。
【図５】図１のコンパクト容器の操作部材の斜視図である。
【図６】図１のコンパクト容器のコンパクト本体の要部の斜視図である。
【図７】図５の操作部材の引っ張り棒の要部拡大図である。
【図８】図５の操作部材の引っ張り棒の変形例の要部拡大図である。
【発明を実施するための最良の形態】
【００１９】
図１から図８は、本発明の第１の実施形態に係るコンパクト容器を示している。なお、本実施形態では、図３に示すＸ方向を前後方向（同図左方を前方、同図右方を後方）と、Ｙ方向を左右方向というものとする。
【００２０】
コンパクト容器は、コンパクト本体２と、蓋体２０と、化粧皿３４と、中枠４０と、操作部材５０とで構成されている。これら各部材は、例えば合成樹脂材で形成することができる。
【００２１】
コンパクト本体２は、底壁４の外周から本体周壁６を起立している。図示例では、底壁４を前後方向に長い長方形としているが、その形状は適宜変更することができる。上記本体周壁６の後壁部は、左右方向中間部を矩形に切り欠くとともに、その切欠きの左右各面に軸穴を設けて軸受部８に形成している。
【００２２】
また上記コンパクト本体２の前部では、図３に示すように、両端部を本体周壁６の左右両壁部と連結する隔壁１０を底壁４から起立している。これにより、本体周壁６の前部と隔壁１０とで囲まれる空間を、後述の操作部材５０を収納するための操作部材収納室Ｃ１に、本体周壁６の内部のうち隔壁１０より後方の部分を化粧皿収納室Ｃ２にそれぞれ形成している。
【００２３】
上記本体周壁６の前壁部の上端から下端寄りへ切割り溝１２を形成している（図６参照）。この切割り溝１２の下半部を後述の引っ張り棒６２の挿通口Ｐとするためである。好適な図示例では、上記切割り溝１２は、本体周壁６の前壁部の左右方向中間部に形成している。また操作部材収納室Ｃ１の内部では、図３に示すように、上記切割り溝１２から左右方向にそれぞれ一定の間隔をおいて、左右一対の案内板１４を底壁４から起立している。図示の案内板１４はそれぞれ前端部を本体周壁６の前壁部に連結している。
【００２４】
図面上では、切割り溝を深く形成しているが、例えば、切割り溝を浅く形成したり、或いは、取付部を厚く形成することにより、後述の嵌合用凸部４８を設けなくても隙間を埋めることができるようにすることができる。
【００２５】
蓋体２０は、図１に示すように、上記コンパクト本体２の後部へ枢着している。本実施形態では、蓋体２０は、蓋板２２の外周から蓋周壁２４を垂下している。そしてこの蓋周壁２４の後壁から軸部２６を下方へ突設して、この軸部２６を上記コンパクト本体２の軸受部８に枢着している。
【００２６】
上記蓋板２２の前部からは、図２に示すように、上記切割り溝１２の後方に位置させて連係片２８を垂下している。この連係片２８の前面（図示例では前面下端部）には、凸状の係合部３０を付設している。係合部３０の形状については後述の係合受部６０とともにさらに説明する。
【００２７】
上記連係片２８よりも後側の蓋板部分裏面には鏡３２を貼着している。
【００２８】
化粧皿３４は、底板の外周から図２に示す内周壁３５を起立してなり、上述の化粧皿収納室Ｃ２内に収納している。本実施形態では、化粧皿３４は、後述の中枠４０の枠孔４４内に固定されている。
【００２９】
中枠４０は、上記本体周壁６の上端部に嵌着させた枠板４２を有し、この枠板４２に上記化粧皿収納室Ｃ２に対応する枠孔４４を開口する。この枠孔４４からは、化粧皿収納室Ｃ２内へ嵌挿する嵌合筒部４５を垂下しており、この嵌合筒部４５内に化粧皿３４を収納している。枠板４２の外周部には上向きの係合段部４３を形成し、上記蓋体２０の蓋周壁２４下端部を嵌着させることが可能に形成している。もっともこれらの構造は適宜変更することができる。
【００３０】
本実施形態では、図２に示すように、上記枠板４２の前部に差込孔４６を開口し、この差込孔４６に上記連係片２８を差し込むことができるように形成している。また枠板４２の前縁部からは、嵌合用凸部４８を垂下している（図４参照）。この嵌合用凸部４８は、枠板４２を本体周壁６の上端部を嵌着させた状態で上記切割り溝１２の上半部に嵌合されるように形成している。嵌合用凸部４８より下方の切割り溝部分は、後述の引っ張り棒６２の挿通口Ｐを形成する。
【００３１】
中枠４０の前部は、図２に示すように、コンパクト本体２の底壁４との間に、後述の操作部材５０の基体５２を摺動可能に挟持しており、操作部材５０の上方抜け出しを防止する抜け止め手段Ｒとしての役割を果たしている。
【００３２】
操作部材５０は、図５に示すように、基体５２と、引っ張り手段Ｅである引っ張り棒６２とで形成している。
【００３３】
上記基体５２は、上記連係片２８と挿通口Ｐ形成箇所との間で前後方向への移動が可能なサイズに形成している。図示の基体５２は、図３に示すように上方から見て四角形状であり、頂部５４の外周部から脚筒部５８を垂下してなる。もっともこれらの形状は適宜変更することができる。
【００３４】
上記基体５２の後面上部には、図２に示すように、上記連係片２８の係合部３０の上面と係止する係合受部６０を形成している。これら係合部３０と係合受部６０とで蓋体２０のロック手段Ｌを形成する。図示例では、係合部３０は、下面を第１係合斜面３０ａとするとともに上面を水平面とする断面逆三角形状に形成している。また係合受部６０は、上面を第２係合斜面６０ａとするとともに下面を水平面とする断面三角形状に形成している。閉蓋のときに係合部が係合受部６０を乗り越えて、係合受部６０の下面に係止する。もっともこれらの形状は適宜変更することができる。
【００３５】
上記基体５２の左右側面後部からは、図３に示すように、前外方へ突出する左右一対の弾性バネ６６を突出している。弾性バネ６６の基端部６６ａは基体５２と一体に連続している。また弾性バネ６６の先端部６６ｂは上記本体周壁６の前壁部に当接しており、弾性バネ６６が操作部材５０を後方へ付勢させている。
【００３６】
上記基体５２の左右両面は左右一対の上記案内板１４によって摺動可能に挟持されており、左右方向へのガタツキを防止するようにしている。案内板１４と上記弾性バネ６６の基端部６６ａとの間には一定の移動代ｄをとっている。
【００３７】
上記引っ張り棒６２は、基体５２から上記挿通口Ｐを介して前方へ突出している。引っ張り棒６２の前端部は、装飾品ＤのストラップＳを取り付け可能な取付部６４に形成している。取付部６４は、取り付けられたストラップＳを引っ張ることで蓋体２０のロック状態を解除できる程度の強度でストラップＳを取り付けることができることが望ましい。
【００３８】
引っ張り手段Ｅとして、引っ張り棒の態様に代えて、例えば、基体に孔や開口などの取付部を設け、この取付部に装飾品の紐やストラップ等を引っ掛ける形態を採用してもよい。また本実施形態では、引っ張り棒に装飾品等を取り付ける際、消費者が取り付けるのに適した形状となっているが、コンパクト容器組立時に取り付けることも可能である。
【００３９】
図示例では、図７に示すように、引っ張り棒６２を板材で形成するとともに、板材の前端部に取付孔６４ａを貫通している。
【００４０】
図８は、取付部の構造の変形例を示している。本例では、上述の板材に、ストラップを後側から前側へ導かれるように設けた渦巻き状の切溝６４ｂを穿設している。
【００４１】
上記構成によれば、引っ張り棒６２の取付部６４に、装飾品ＤのストラップＳを取り付け、このストラップＳを前方へ引くことで、弾性バネ６６の弾性力に抗して操作部材５０を前方へ移動させ、係合部３０と係合受部６０とを分離させて、蓋体２０のロック状態を解除することができ、蓋体２０を開放することができる。利用者がストラップＳを離すと、操作部材５０は弾性バネ６６の復元力により元の位置へ戻る。こうして利用者は、蓋体２０が開いたコンパクト容器の化粧皿３４内の化粧料を使用することができる。
【００４２】
蓋体２０を閉じると、連係片２８が差込孔４６を介して操作部材収納室Ｃ１内に挿入され、係合部３０が係合受部６０に係止して蓋体２０のロックがかかる。
【符号の説明】
【００４３】
２…コンパクト本体  ４…底壁  ６…本体周壁  ８…軸受部
１０…隔壁  １２…切割り溝  １４…案内板
２０…蓋体  ２２…蓋板  ２４…蓋周壁  ２６…軸部  ２８…連係片
３０…係合部  ３０ａ…第１係合斜面
３２…鏡  ３４…化粧皿
４０…中枠  ４２…枠板  ４３…係合段部  ４４…枠孔  ４５…嵌合筒部
４６…差込孔  ４８…嵌合用凸部
５０…操作部材  ５２…基体  ５４…頂部  ５８…脚筒部
６０…係合受部  ６０ａ…第２係合斜面
６２…引っ張り棒  ６４…取付部  ６４ａ…取付孔  ６４ｂ…切溝
６６…弾性バネ  ６６ａ…基端部  ６６ｂ…先端部
Ｃ１…操作部材収納室  Ｃ２…化粧皿収納室  Ｄ…装飾品  ｄ…移動代
Ｅ…引っ張り手段  Ｌ…ロック手段  Ｐ…挿通口  Ｒ…抜け止め手段
Ｓ…ストラップ
Ｘ…第１方向  Ｙ…第２方向
【図１】
0006443931.tif 000002
【図２】
0006443931.tif 000003
【図３】
0006443931.tif 000004
【図４】
0006443931.tif 000005
【図５】
0006443931.tif 000006
【図６】
0006443931.tif 000007
【図７】
0006443931.tif 000008
【図８】
0006443931.tif 000009